(57)【特許請求の範囲】
【請求項１】
外装ルーバーと、
前記外装ルーバーの長手方向の一端部を建物に取り付ける第一取付具と、
前記外装ルーバーの長手方向の他端部を前記建物に取り付ける第二取付具とを備え、
前記外装ルーバーは、互いに対向する一対のパネルと、前記一対のパネルの間に位置し、前記一対のパネルのそれぞれに固定される矩形枠状のスペーサーユニットとを有し、
前記スペーサーユニットは、前記スペーサーユニットの長辺側の一対の枠部を構成する直管状の一対の長辺側スペーサーを含み、
前記第一取付具は、第一固定部と、前記第一固定部から突出した一対の第一嵌め込み部とを有し、
前記第二取付具は、第二固定部と、前記第二固定部から突出した一対の第二嵌め込み部とを有し、
前記第一固定部が前記建物に対して固定され、前記一対の第一嵌め込み部が前記一対の長辺側スペーサーの長手方向の一端の開口にそれぞれ嵌め込まれることで、前記外装ルーバーの長手方向の一端部が前記建物に取り付けられ、
前記第二固定部が前記建物に対して固定され、前記一対の前記第二嵌め込み部が前記一対の前記長辺側スペーサーの長手方向の他端の開口にそれぞれ嵌め込まれることで、前記外装ルーバーの長手方向の他端部が前記建物に取り付けられることを特徴とする外装ルーバーの取付構造。
【請求項２】
前記一対の第一嵌め込み部のそれぞれは、前記第一固定部から突出した第一突出部と、前記第一突出部の２つの面にそれぞれ設けられた弾性部とを含み、
前記２つの面は、前記第一突出部のうち前記一対のパネルが並ぶ方向に直交する方向を向く２つの面であることを特徴とする請求項１に記載の外装ルーバーの取付構造。
【請求項３】
前記一対の第一嵌め込み部のそれぞれは、前記第一突出部の他の２つの面にそれぞれ設けられた弾性部をさらに含み、
前記他の２つの面は、前記第一突出部のうち前記一対のパネルが並ぶ方向を向く２つの面であることを特徴とする請求項２に記載の外装ルーバーの取付構造。
【請求項４】
前記一対の第二嵌め込み部のそれぞれは、前記第二固定部から突出した第二突出部と、前記第二突出部の２つの面にそれぞれ設けられた弾性部を含み、
前記２つの面は、前記第二突出部のうち前記一対のパネルが並ぶ方向に直交する方向を向く２つの面であることを特徴とする請求項１乃至３のいずれか１項に記載の外装ルーバーの取付構造。
【請求項５】
前記一対の第二嵌め込み部のそれぞれは、前記第二突出部のうち前記一対のパネルが並ぶ方向を向く２つの面にそれぞれ設けられた弾性部をさらに含むことを特徴とする請求項４に記載の外装ルーバーの取付構造。
【請求項６】
前記外装ルーバーの前記一対の長辺側スペーサーの長手方向が、上下方向に対して平行であり、
前記スペーサーユニットは、前記スペーサーユニットの短辺側の一対の枠部のうち下側の枠部を構成する短辺側スペーサーをさらに含み、
前記短辺側スペーサーには、前記短辺側スペーサーから下方に突出し、かつ下方への突出量が調整自在な位置決め部材が設けられることを特徴とする請求項１乃至５のいずれか１項に記載の外装ルーバーの取付構造。
【請求項７】
前記外装ルーバーの前記一対の長辺側スペーサーの長手方向が、左右方向に対して平行であり、
前記スペーサーユニットは、前記スペーサーユニットの短辺側の一対の枠部を構成する第一短辺側スペーサーと第二短辺側スペーサーを含み、
前記第一短辺側スペーサーには、前記第一短辺側スペーサーから左右方向外側に突出し、かつ突出量が調整自在な第一位置決め部材が設けられ、
前記第二短辺側スペーサーには、前記第二短辺側スペーサーから左右方向外側に突出し、かつ突出量が調整自在な第二位置決め部材が設けられることを特徴とする請求項１乃至５のいずれか１項に記載の外装ルーバーの取付構造。
【請求項８】
前記一対の長辺側スペーサーのそれぞれの外側に取り付けられる化粧カバーをさらに備えることを特徴とする請求項１乃至７のいずれか１項に記載の外装ルーバーの取付構造。
【発明の詳細な説明】
【技術分野】
【０００１】
本発明は、外装ルーバーの取付構造に関し、詳しくは、建物に外装として取り付けられる外装ルーバーの取付構造に関する。
【背景技術】
【０００２】
建物の外装として、外装ルーバーを、建物の上階床板と下階床板との間に、鉛直方向に対して略平行に取り付けた取付構造が、特許文献１等で提案されている。
【０００３】
この外装ルーバーは、中空の押出成形セメント板によって形成されたものである。
【先行技術文献】
【特許文献】
【０００４】
【特許文献１】特開２００９−５７７９４号公報
【発明の概要】
【発明が解決しようとする課題】
【０００５】
特許文献１に記載の外装ルーバーは、中空の押出成形セメント板で形成することで、軽量化が図れるものの、製造に手間と時間がかかる。
【０００６】
上記事情を鑑みて、本発明の目的は、外装ルーバーの軽量化と製造の簡略化を図ることができ、かつ簡単に施工することができる外装ルーバーの取付構造を提案することにある。
【課題を解決するための手段】
【０００７】
上記課題を解決するための本発明の外装ルーバーの取付構造は、外装ルーバーと、前記外装ルーバーの長手方向の一端部を建物に取り付ける第一取付具と、前記外装ルーバーの長手方向の他端部を前記建物に取り付ける第二取付具とを備え、前記外装ルーバーは、互いに対向する一対のパネルと、前記一対のパネルの間に位置し、前記一対のパネルのそれぞれに固定される矩形枠状のスペーサーユニットとを有し、前記スペーサーユニットは、前記スペーサーユニットの長辺側の一対の枠部を構成する直管状の一対の長辺側スペーサーを含み、前記第一取付具は、第一固定部と、前記第一固定部から突出した一対の第一嵌め込み部とを有し、前記第二取付具は、第二固定部と、前記第二固定部から突出した一対の第二嵌め込み部とを有し、前記第一固定部が前記建物に対して固定され、前記一対の第一嵌め込み部が前記一対の長辺側スペーサーの長手方向の一端の開口にそれぞれ嵌め込まれることで、前記外装ルーバーの長手方向の一端部が前記建物に取り付けられ、前記第二固定部が前記建物に対して固定され、前記一対の前記第二嵌め込み部が前記一対の前記長辺側スペーサーの長手方向の他端の開口にそれぞれ嵌め込まれることで、前記外装ルーバーの長手方向の他端部が前記建物に取り付けられることを特徴とする。
【発明の効果】
【０００８】
本発明の外装ルーバーの取付構造は、外装ルーバーの軽量化と製造の簡略化を図ることができ、かつ簡単に施工することができる。
【図面の簡単な説明】
【０００９】
【図１】図１Ａは、本発明の第一形態の外装ルーバーの取付構造を示す正面図であり、図１Ｂは図１Ａのａ―ａ線における断面図である。
【図２】図１Ａのｂ―ｂ線における断面図である。
【図３】同上の取付構造で用いられる取付具の一例を示す図であり、図３Ａは正面図であり、図３Ｂは側面図であり、図３Ｃは下面図である。
【図４】同上の取付構造を備えた建物の一例を示す斜視図である。
【図５】同上の取付具の他の一例を示す断面図である。
【図６】同上の外装ルーバーの他の一例を示す平断面図である。
【図７】同上の取付具のさらに他の一例を示す図であり、図７Ａは要部の正面図であり、図７Ｂは要部の側面図であり、図７Ｃは要部の下面図である。
【図８】同上の取付具のさらに他の一例を示す図であり、図８Ａは要部の正面図であり、図８Ｂは側面図であり、図８Ｃは要部の下面図である。
【図９】同上の取付具のさらに他の一例を示す正面図である。
【図１０】同上の取付構造で用いられる化粧カバーの他の一例を示す平断面図である。
【図１１】同上の化粧カバーのさらに他の一例を示す平断面図である。
【図１２】同上の化粧カバーのさらに他の一例を示す平断面図である。
【図１３】同上の化粧カバーのさらに他の一例を示す平断面図である。
【図１４】同上の化粧カバーのさらに他の一例を示す平断面図である。
【図１５】本発明の第二形態の外装ルーバーの取付構造を示す斜視図である。
【図１６】同上の取付構造を示す分解斜視図である。
【発明を実施するための形態】
【００１０】
図１Ａには、本発明の第一形態の外装ルーバー１（以下「ルーバー１」と記載する。）の取付構造が示されている。ルーバー１は、図４に示すように、ビル等の建物２に対して、ルーバー１の長手方向が鉛直方向に対して略平行となる起立姿勢で並べて複数枚取り付けられることで、建物２に差し込む日射を遮るものである。
【００１１】
本形態の取付構造は、図１Ａ，Ｂ及び図２に示すように、ルーバー１と、ルーバー１の長手方向の両端部のそれぞれを建物２に対して取り付ける一対の取付具３を備える。
【００１２】
ルーバー１は、互いに対向する一対のパネル４，５と、この一対のパネル４，５の間に位置し、一対のパネル４，５のそれぞれに固定される、芯材１６及び矩形枠状のスペーサーユニット６と、スペーサーユニット６の外側に設けられる一対の化粧カバー７を有する。以下では、図１Ａに示す状態を基準として、平面視において、一対のパネル４，５が並ぶ方向を前後方向とし、前後方向に対して直交する方向を左右方向として、各構成について説明する。各図において、矢印Ｘ１で示す方向が前方であり、矢印Ｙ１で示す方向が右方であり、矢印Ｚ１で示す方向が上方である。
【００１３】
一対のパネル４，５のうちの前側に位置するパネル４は、芯材１６及びスペーサーユニット６の前方に配される前面部４０と、スペーサーユニット６の左方に配される側面部４１と、スペーサーユニット６の右方に配される側面部４２とを有する。さらに、パネル４は、スペーサーユニット６の上方に配される上面部４３と、スペーサーユニット６の下方に配される下面部４４とを有する。左の側面部４１は、前面部４０の左端部から上下方向に亘って後方に突出し、右の側面部４２は、前面部４０の右端部から上下方向に亘って後方に突出する。上面部４３は、前面部４０の上端部のうち左右方向の両端部を除く部分から後方に突出し、下面部４４は、前面部４０の下端部のうち左右方向の両端部を除く部分から後方に突出する。一対の側面部４１，４２と上面部４３と下面部４４のそれぞれは、前面部４０に対して略垂直である。
【００１４】
一対のパネル４，５のうちの後側に位置するパネル５は、芯材１６及びスペーサーユニット６の後方に配される後面部５０と、スペーサーユニット６の左方に配される側面部５１と、スペーサーユニット６の右方に配される側面部５２とを有する。さらに、パネル５は、スペーサーユニット６の上方に配される上面部５３と、スペーサーユニット６の下方に配される下面部５４とを有する。左の側面部５１は、後面部５０の左端部から上下方向に亘って前方に突出し、右の側面部５２は、後面部５０の右端部から上下方向に亘って前方に突出する。上面部５３は、後面部５０の上端部のうち左右方向の両端部を除く部分から前方に突出し、下面部５４は、後面部５０の下端部のうち左右方向の両端部を除く部分から前方に突出する。一対の側面部５１，５２と上面部５３と下面部５４のそれぞれは、後面部５０に対して略垂直である。
【００１５】
パネル４，５は、例えば、金属板を折り曲げ加工することによって形成される。金属板は、塗装鋼板、亜鉛めっき鋼板、ガルバリウム鋼板（登録商標）、エスジーエル（登録商標）鋼板、ステンレス鋼板、アルミニウム鋼板、チタン板等であるが、これらに限定されない。金属板の厚みは、例えば０．５ｍｍ〜５．０ｍｍである。なお、パネル４，５は、合成樹脂製であってもよい。
【００１６】
スペーサーユニット６は、互いに剛接合されていない複数のスペーサーを枠状に配置して構成されている。スペーサーユニット６は、矩形枠状のスペーサーユニット６の長辺側の一対の枠部を構成する一対の長辺側スペーサー６０，６１と、スペーサーユニット６の短辺側の一対の枠部を構成する一対の短辺側スペーサー６２，６３を有する。
【００１７】
以下では、必要に応じて、一対の長辺側スペーサー６０，６１のうち、スペーサーユニット６の左側の枠部を構成するスペーサーを、第一長辺側スペーサー６０と記載し、スペーサーユニット６の右側の枠部を構成するスペーサーを、第二長辺側スペーサー６１と記載する。そして、一対の短辺側スペーサー６２，６３のうち、スペーサーユニット６の上側の枠部を構成するスペーサーを、第一短辺側スペーサー６２と記載し、スペーサーユニット６の下側の枠部を構成するスペーサーを、第二短辺側スペーサー６３と記載する。
【００１８】
スペーサー６０，６１，６２，６３のそれぞれは、直管状であり、長手方向の両端部が開口している。スペーサー６０，６１，６２，６３のそれぞれは、長手方向に直交する断面の形状が、略正方形である。スペーサー６０，６１，６２，６３のそれぞれは、本形態では、一直線状の金属製の角形管である。スペーサー６０，６１，６２，６３は、正面視にて矩形枠状に配置されている。
【００１９】
第一短辺側スペーサー６２は、左端が第一長辺側スペーサー６０の上端部の右側面に当たり、右端が第二長辺側スペーサー６１の上端部の左側面に当たるように配置されている。第二短辺側スペーサー６３は、左端が第一長辺側スペーサー６０の下端部の右側面に当たり、右端が第二長辺側スペーサー６１の下端部の左側面に当たるように配置されている。
【００２０】
スペーサー６０，６１，６２，６３は、長手方向の端部同士が、溶接による固定や、ねじやリベットによる機械的固定がなされておらず、すなわち、互いに剛接合されていない。
【００２１】
芯材１６は、例えば、ロックウールやグラスウールなどの繊維状無機材をバインダー等で固めて形態したブロック体を、複数並べて１枚の板状に配置したものである。板状に配置された芯材１６の厚みは、スペーサーユニット６の厚みと同じである。
【００２２】
芯材１６は、左右の長辺側スペーサー６０，６１間に、左右方向に亘って位置し、かつ上下の短辺側スペーサー６２，６３の間に、上下方向に亘って位置する。なお、芯材１６は、ウレタンフォームを注入することによって形成されるものであってもよい。
【００２３】
本形態では、芯材１６の前面全体とスペーサー６０，６１，６２，６３の前面全体に、パネル４の前面部４０が接着により固定されている。左側の第一長辺側スペーサー６０の左側面の前部に上下方向に亘って、パネル４の左の側面部４１が、ねじやリベット等の金属製の固定具１０で固定されている（図２参照）。右側の第二長辺側スペーサー６１の右側面の前部に上下方向に亘って、パネル４の右の側面部４２が、固定具１０で固定されている。第一短辺側スペーサー６２の上面の前部に左右方向に亘って、パネル４の上面部４３が、ねじやリベット等の金属製の固定具（図示せず）で固定されている。第二短辺側スペーサー６３の下面の前部に左右方向に亘って、パネル４の下面部４４が、ねじやリベット等の金属製の固定具（図示せず）で固定されている。なお、各面部４１，４２，４３，４４は、スペーサー６０，６１，６２，６３に接着により固定されたうえで、固定具によって固定されていてもよい。
【００２４】
芯材１６の後面全体とスペーサー６０，６１，６２，６３の後面全体に、パネル５の後面部５０が接着により固定されている。左側の第一長辺側スペーサー６０の左側面の後部に上下方向に亘って、パネル５の左の側面部５１が、ねじやリベット等の金属製の固定具１１で固定されている。右側の第二長辺側スペーサー６１の右側面の後部に上下方向に亘って、パネル５の右の側面部５２が、固定具１１で固定されている。第一短辺側スペーサー６２の上面の後部に左右方向に亘って、パネル５の上面部５３が、ねじやリベット等の金属製の固定具（図示せず）で固定されている。第二短辺側スペーサー６３の下面の後部に左右方向に亘って、パネル５の下面部５４が、ねじやリベット等の金属製の固定具（図示せず）で固定されている。なお、各面部５１，５２，５３，５４は、スペーサー６０，６１，６２，６３に接着により固定されたうえで、固定具によって固定されていてもよい。
【００２５】
パネル４の上面部４３とパネル５の上面部５３は、第一短辺側スペーサー６２上にのみ位置し、左右の長辺側スペーサー６０，６１の上端部開口を閉塞していない。パネル４の下面部４４とパネル５の下面部５４は、第二短辺側スペーサー６３の下方にのみ位置し、左右の長辺側スペーサー６０，６１の下端部開口を閉塞していない。パネル４の各面部４１，４２，４３，４４とパネル５の各面部５１，５２，５３，５４とは、それぞれ前後方向に離れている。
【００２６】
パネル４，５は、前面部４０及び後面部５０が芯材１６に固定されることで、前面部４０及び後面部５０に熱伸びによる撓みが生じにくくなっている。
【００２７】
一対の化粧カバー７のそれぞれは、上下方向に長い部材であり、本形態ではアルミの押出成形材である。各化粧カバー７は、長辺側スペーサー６０，６１と略同じ上下長さである。なお、化粧カバー７は、アルミ以外の他の金属で形成されたものであってもよいし、木製や樹脂製であってもよい。
【００２８】
各化粧カバー７は、ルーバー１の左右の端部の構成を利用して、ルーバー１に取り付けられる。本形態では、各化粧カバー７は、長辺側スペーサー６０，６１にねじ固定されるベース７０と、ベース７０に取り付けられるカバー本体７１とを有する。
【００２９】
ベース７０は、長辺側スペーサー６０，６１と略同じ上下長さである。ベース７０は、長辺側スペーサー６０，６１に当てる略矩形板状の底壁部７００と、底壁部７００の前後の端部から左右方向外側に突出した略矩形板状の前後一対の側壁部７０１とを有する。
【００３０】
前後一対の側壁部７０１の左右方向外側の端部の前後方向内側の面には、被引っ掛け部７０２が前後方向内側に突出させて設けられている。また、前後一対の側壁部７０１の左右方向中央部の前後方向外側の面には、金属製のねじ等の止め具１７の挿入位置を示す溝部が凹ませて設けられている。
【００３１】
底壁部７００の前後方向中央部には、金属製のねじ等の固定具１２の挿入位置を示す溝部が設けられている。なお、ベース７０は、上下長さの短い部材であってもよい。その場合、長辺側スペーサー６０，６１には、上下方向に亘って、複数のベース７０が固定される。
【００３２】
カバー本体７１は、長辺側スペーサー６０，６１と略同じ上下長さである。カバー本体７１は、略矩形状の化粧部７１０と、化粧部７１０の背面の中央部から突出した一対の取付片部７１１と、化粧部７１０の背面の前後の端部のそれぞれから突出した一対の突片部７１２を有する。化粧部７１０、取付片部７１１及び突片部７１２は、押出成形により一体に設けられている。なお、取付片部７１１及び突片部７１２は、化粧部７１０に溶接等により一体化されたものであってもよい。化粧部７１０は、前後の端部が前後方向の中央部に比べて厚みが大きく、この厚みの大きい部分から、一対の突片部７１２が突出している。
【００３３】
各取付片部７１１は、左右方向内側端部の前後方向外側の面に、被引っ掛け部７０２に引っ掛けるための引っ掛け部７１３が前後方向外側に突出させて設けられている。
【００３４】
一対の突片部７１２のそれぞれには、止め具１７を通すための孔（図示せず）が、長手方向の両端部のうち少なくとも一方に設けられている。なお、この孔は、現場での施工の際に形成されるものであってもよい。
【００３５】
各化粧カバー７は、ベース７０が長辺側スペーサー６０，６１に、固定具１２によりねじ固定され、ベース７０の前後一対の側壁部７０１の被引っ掛け部７０２に、カバー本体７１の前後一対の取付片部７１１の引っ掛け部７１３が引っ掛けられることで、長辺側スペーサー６０，６１の外側に設置される。さらに、各化粧カバー７は、止め具１７によって前後一対の取付片部７１１のそれぞれが前後一対の側壁部７０１のそれぞれに固定されることで、カバー本体７１がベース７０から抜け落ちることが防止される。
【００３６】
建物２は、図４に示すように、建物２の外側に外装材として設けられる枠組み２００を備える。枠組み２００は、ルーバー１の上方に位置する上枠材２０と、ルーバー１の下方に位置する下枠材２１を有する。枠材２０，２１は、互いに略平行である。枠組み２００は、さらにルーバー１の側方に位置する左右一対の側枠材２２，２３を有する。左右一対の側枠材２２，２３は、上枠材２０及び下枠材２１と一体である。ルーバー１は、上下の枠材２０，２１と左右の側枠材２２，２３とで囲まれる空間に設置される。上枠材２０と下枠材２１と左右一対の側枠材２２，２３のそれぞれは、例えば、コンクリート製であり、略板状である。
【００３７】
枠組み２００は、ルーバー１が配される空間を、上下方向に複数有し、上枠材２０と下枠材２１を複数組み有する。上下に隣接する２つの空間のうち上側の空間の下方に位置する下枠材２１は、下側の空間の上方に位置する上枠材２０を兼ねる。なお、枠組み２００は、ルーバー１が配される空間を、上下方向に複数ではなく１つだけ有するものであってもよい。
【００３８】
本形態では、下枠材２１は、その上面のうちルーバー１が載置される部位に、上方に突出した載置部２４を有する（図１Ａ，Ｂ参照）。載置部２４は、平面視におけるサイズが、ルーバー１のサイズよりも若干大きく、略直方体状である。一方、上枠材２０は、その下面が平坦である。なお、下枠材２１は、上面が平坦なもの、つまり、略直方体状の載置部２４を有さないものであってもよい。
【００３９】
上枠材２０の下面と下枠材２１の上面にはそれぞれ、ルーバー１が取り付けられる部位に、金属製の固定板２５，２６が設けられている。本形態では、上側の固定板２５は、上枠材２０の下面に埋め込まれており、固定板２５の下面とその周囲の上枠材２０の下面とが面一となるように設けられている。下側の固定板２６は、下枠材２１の載置部２４の上面に埋め込まれており、固定板２６の上面とその周囲の載置部２４の上面とが面一となるように設けられている。固定板２５，２６は、平面視において全体が重なるように配される。固定板２５，２６のそれぞれは、ルーバー１の設置角度（建物の窓や外面に対する角度）に合わせて、上枠材２０と下枠材２１への配置が決められる。
【００４０】
一対の取付具３は、ルーバー１の長手方向の一端部（つまり上端部）を建物２の上枠材２０に取り付ける第一取付具３０と、ルーバー１の長手方向の他端部（つまり下端部）を建物２の下枠材２１に取り付ける第二取付具３１を含む。取付具３０，３１は、金属製であり、同大同形である。
【００４１】
図３Ａ〜Ｃには、第一取付具３０の一部が示されている。なお、図３Ａ〜Ｃには、第二取付具３１の一部を上下逆さにしたものが示されているともいえる。
【００４２】
第一取付具３０は、図１Ａ，Ｂ、図２、及び図３Ａ〜Ｃに示すように、第一固定部３２と、第一固定部３２から突出した一対の第一嵌め込み部３３を有する。本形態では、第一固定部３２は、左右方向に離れて位置する一対の矩形状の板材３２０，３２１で構成される。一対の第一嵌め込み部３３は、一対の板材３２０，３２１のそれぞれから１つずつ突出している。なお、第一固定部３２は、１枚の矩形状の板材で構成されるものであってもよい（図５参照）。
【００４３】
一対の第一嵌め込み部３３のそれぞれは、第一固定部３２（板材３２０，３２１）から突出した角筒状の第一突出部３４と、第一突出部３４の２つの面にそれぞれ設けられた弾性部３５を含む。この２つの面は、第一突出部３４のうち一対のパネル４，５が並ぶ方向に直交する方向を向く２つの面であり、本形態では、第一突出部３４の前面と後面である。
【００４４】
さらに、一対の第一嵌め込み部３３のそれぞれは、第一突出部３４の他の２つの面にそれぞれ設けられた弾性部３５を含む。この他の２つの面は、第一突出部３４のうち一対のパネル４，５が並ぶ方向を向く２つの面であり、本形態では、第一突出部３４の右面と左面である。
【００４５】
各第一突出部３４は、長手方向に直交する断面の形状が、略正方形である。各第一突出部３４は、左右方向と前後方向のそれぞれの外寸が、各長辺側スペーサー６０，６１の内寸よりも一回り小さいものとなっている。
【００４６】
各弾性部３５は、本形態では、第一突出部３４の前後左右の面にそれぞれねじ固定された板バネである。なお、各弾性部３５は、コイルバネやゴム製のプレート等の他の弾性部材を第一突出部３４の前後左右の面に取り付けたものであってもよいし、第一突出部３４の前後左右の面の一部を切り起こして形成した板バネであってもよい。
【００４７】
第一取付具３０は、一対の第一嵌め込み部３３が、ルーバー１の一対の長辺側スペーサー６０，６１の長手方向の一端の開口（つまり上端開口）に差し込まれて嵌め込まれることで、ルーバー１に対して取り付けられるように構成されている。このとき、各第一突出部３４の前後左右の弾性部３５が、長辺側スペーサー６０，６１の内周面のうちの前後左右の面にそれぞれ弾性的に押し当ることで、長辺側スペーサー６０，６１それぞれに対して各第一突出部３４の位置が定まる。
【００４８】
板材３２０，３２１は、平面視において、ルーバー１のスペーサーユニット６内に収まるサイズに設けられている。つまり、板材３２０，３２１は、前後幅が、ルーバー１のスペーサーユニット６（短辺側スペーサー６２）の前後幅よりも若干小さい。
【００４９】
本形態では、第一取付具３０は、板材３２０，３２１のそれぞれが、上枠材２０に設けた固定板２５に、溶接により固定されることによって、上枠材２０に対して取り付けられる。
【００５０】
第二取付具３１は、図１Ａ，Ｂ及び図２に示すように、第二固定部３６と、第二固定部３６から突出した一対の第二嵌め込み部３７を有する。本形態では、第二固定部３６は、左右方向に離れて位置する一対の矩形状の板材３６０，３６１で構成される。一対の第二嵌め込み部３７は、一対の板材３６０，３６１のそれぞれから１つずつ突出している。なお、第二固定部３６は、１枚の矩形状の板材で構成されるものであってもよい。
【００５１】
一対の第二嵌め込み部３７のそれぞれは、第二固定部３６（板材３６０，３６１）から突出した角筒状の第二突出部３８と、第二突出部３８の２つの面にそれぞれ設けられた弾性部３９を含む。この２つの面は、第二突出部３８のうち一対のパネル４，５が並ぶ方向に直交する方向を向く２つの面であり、本形態では、第二突出部３８の前面と後面である。
【００５２】
さらに、一対の第二嵌め込み部３７のそれぞれは、第二突出部３８の他の２つの面にそれぞれ設けられた弾性部３５を含む。この他の２つの面は、第二突出部３８のうち一対のパネル４，５が並ぶ方向を向く２つの面であり、本形態では、第二突出部３８の右面と左面である。
【００５３】
各第二突出部３８は、長手方向に直交する断面の形状が、略正方形である。各第二突出部３８は、左右方向と前後方向のそれぞれの外寸が、各長辺側スペーサー６０，６１よりも一回り小さいものとなっている。
【００５４】
各弾性部３９は、本形態では、第二突出部３８の前後左右の面にそれぞれねじ固定された板バネである。なお、各弾性部３９は、コイルバネやゴム製のプレート等の他の弾性部材を第二突出部３８の前後左右の面に取り付けたものであってもよいし、第二突出部３８の前後左右の面の一部を切り起こして形成した板バネであってもよい。
【００５５】
第二取付具３１は、一対の第二嵌め込み部３７が、ルーバー１の一対の長辺側スペーサー６０，６１の長手方向の他端の開口（つまり下端開口）に差し込まれて嵌め込まれることで、ルーバー１に対して取り付けられるように構成されている。このとき、各第二突出部３８の前後左右の弾性部３９が、長辺側スペーサー６０，６１の内周面のうちの前後左右の面にそれぞれ弾性的に押し当ることで、長辺側スペーサー６０，６１それぞれに対して各第二突出部３８の位置が定まる。
【００５６】
板材３６０，３６１は、平面視において、ルーバー１のスペーサーユニット６内に収まるサイズに設けられている。つまり、板材３６０，３６１は、前後幅が、ルーバー１のスペーサーユニット６（短辺側スペーサー６３）の前後幅よりも若干小さい。
【００５７】
本形態では、第二取付具３１は、板材３６０，３６１のそれぞれが、下枠材２１に設けた固定板２６に、溶接により固定されることによって、下枠材２１に対して取り付けられる。
【００５８】
さらに本形態のルーバー１では、下側の短辺側スペーサー６３には、短辺側スペーサー６３から突出し、かつ突出量が調整自在な位置決め部材８が設けられている。位置決め部材８は、先端部が建物２の一部（つまり下枠材２１）に当たるように構成されている。
【００５９】
詳しくは、本形態では、位置決め部材８は、ナット８０と、ナット８０に対してねじ締めされるボルト８１で構成される。ボルト８１は、本形態では、頭部が六角柱状のものであるが、これに限らず、例えば頭部が半球状のものであってもよい。
【００６０】
角筒状の短辺側スペーサー６３には、上面を構成する上壁部６３０と、下面を構成する下壁部６３１にそれぞれ、上下方向に貫通する貫通孔６３２，６３３が設けられている。ナット８０は、上壁部６３０の上面のうち、貫通孔６３２の周囲に溶接等により固定されている。ボルト８１は、貫通孔６３３，６３２を下側から順に貫通して、ナット８０に対してねじ締めされる。ボルト８１は、ナット８０に対するねじ締めの量を調整することで、短辺側スペーサー６３からの下方への突出量が調整自在である。
【００６１】
なお、位置決め部材８は、ボルト８１のみで構成されるものであってもよく、その場合、貫通孔６３２，６３３のうち少なくとも一方をねじ孔とすればよい。
【００６２】
続いて、本形態のルーバー１の製造方法の一例について説明する。以下では、平置き姿勢で製造されるルーバー１について説明する。起立姿勢におけるルーバー１の上端部が、平置き姿勢におけるルーバー１の前端部に相当し、起立姿勢におけるルーバー１の下端部が、平置き姿勢におけるルーバー１の後端部に相当する。
【００６３】
まず、パネル５を平置きし、パネル５の後面部５０の上面全体に接着剤を塗布する。次いで、パネル５の後面部５０の上面に、スペーサー６０，６１，６２，６３を平面視矩形枠状に載置して接着させる。ここで、パネル５は、面部５０，５１，５２，５３，５４が設けられたものを用いる。短辺側スペーサー６３は、上壁部６３０と下壁部６３１の貫通孔６３２，６３３にボルト８１が挿通され、このボルト８１が上壁部６３０の上面のナット８０にねじ締めされたものを用いる。なお、ボルト８１の短辺側スペーサー６３への取付は、ルーバー１への第二取付具３１の取付の前に行ってもよい。
【００６４】
パネル５への載置の際、短辺側スペーサー６２は、後面部５０の前端部に載置し、短辺側スペーサー６３は、後面部５０の後端部に載置し、左の長辺側スペーサー６０は、後面部５０の左端部に載置し、右の長辺側スペーサー６１は、後面部５０の右端部に載置する。
【００６５】
このとき、短辺側スペーサー６２を、その左端が左の長辺側スペーサー６０の上端部の右側面に当たり、短辺側スペーサー６２の右端が右の長辺側スペーサー６１の上端部の左側面に当たるように、配置する。短辺側スペーサー６３を、その左端が左の長辺側スペーサー６０の下端部の右側面に当たり、短辺側スペーサー６３の右端が右の長辺側スペーサー６１の下端部の左側面に当たるように、配置する。左の長辺側スペーサー６０を、その左の側面がパネル５の左の側面部５１に当たるように配置し、右の長辺側スペーサー６１を、その右の側面がパネル５の右の側面部５２に当たるように、配置する。また、短辺側スペーサー６２を、その前面がパネル５の上面部５３に当たるように配置し、短辺側スペーサー６３を、その後面がパネル５の下面部５４に当たるように配置する。
【００６６】
パネル５への載置の後、スペーサー６０，６１，６２，６３は、製造過程中、長手方向の端部同士が当たった状態を維持しやすくするために、長手方向の端部同士をガムテープや接着剤等で接着させてもよい。ガムテープや接着剤による接着は、製造過程中のみ機能を維持すればよく、上述の剛接合には該当しない。
【００６７】
次いで、パネル５の後面部５０の上面のうち、スペーサー６０，６１，６２，６３で囲まれる領域の全体に、芯材１６を配置して接着させる。
【００６８】
次いで、各スペーサー６０，６１，６２，６３及び芯材１６の上面に接着剤を塗布し、この上面にパネル４を載置する。ここで、パネル４は、面部４０，４１，４２，４３，４４が設けられたものを用いる。なお、接着剤は、パネル４の前面部４０の下面全体に塗布してもよい。
【００６９】
パネル４の載置の際、パネル４の左の側面部４１が左の長辺側スペーサー６０の左の側面に当たり、パネル４の右の側面部４２が右の長辺側スペーサー６１の右の側面に当たり、パネル４の上面部４３が、短辺側スペーサー６２の前面に当たり、パネル４の下面部４４が短辺側スペーサー６３の後面に当たるように、パネル４を配置する。
【００７０】
次いで、パネル４の左の側面部４１に、左から固定具１０を打ち込んで、側面部４１を左の長辺側スペーサー６０に固定する。パネル４の右の側面部４２に、右から固定具１０を打ち込んで、側面部４２を右の長辺側スペーサー６１に固定する。パネル４の上面部４３に、前方から固定具を打ち込んで、上面部４３を短辺側スペーサー６２に固定する。パネル４の下面部４４に、後方から固定具を打ち込んで、下面部４４を短辺側スペーサー６３に固定する。
【００７１】
同様にパネル５の左の側面部５１に、左から固定具１１を打ち込んで、側面部５１を左の長辺側スペーサー６０に固定する。パネル５の右の側面部５２に、右から固定具１１を打ち込んで、側面部５２を右の長辺側スペーサー６１に固定する。パネル５の上面部５３に、前方から固定具を打ち込んで、上面部５３を短辺側スペーサー６２に固定する。パネル５の下面部５４に、後方から固定具を打ち込んで、下面部５４を短辺側スペーサー６３に固定する。なお、固定具（１０，１１等）によるパネル４，５のスペーサーユニット６への固定は、パネル４，５のどちらを先に行っても構わない。
【００７２】
次いで、左右の長辺側スペーサー６０，６１の左右方向外側にそれぞれ、化粧カバー７を取り付ける。
【００７３】
詳しくは、まず、左の長辺側スペーサー６０の左側の面に、化粧カバー７のベース７０の底壁部７００を当て、左方から固定具１２を打ち込んで、ベース７０を長辺側スペーサー６０に固定する。次いで、ベース７０へ左方からカバー本体７１を差し込む。このとき、ベース７０の前後一対の側壁部７０１の被引っ掛け部７０２に、カバー本体７１の前後一対の取付片部７１１の引っ掛け部７１３が引っ掛かることで、ベース７０に対してカバー本体７１が取り付けられる。
【００７４】
次いで、カバー本体７１の前後一対の突片部７１２に設けた孔を通じて、止め具１７を挿入し、カバー本体７１の前後一対の取付片部７１１をベース７０の前後一対の側壁部７０１にそれぞれ固定する。これにより、化粧カバー７は、カバー本体７１の長手方向の一端部（つまり上端部）が、止め具１７によって、ベース７０の長手方向の一端部（つまり上端部）に固定される。同様の手順で、右の長辺側スペーサー６１に化粧カバー７を取り付ける。
【００７５】
本形態では、固定具１０，１１と止め具１７の頭部が、一対の突片部７１２によって外部に対して覆い隠されるため、化粧部７１０とパネル４，５との間の隙間に、バックアップ材とコーキング剤を充填する施工が省略可能である。
【００７６】
以上のようにして製造される本形態のルーバー１は、さらに下記のようにして建物２の外側の枠組み２００に取り付けられる。
【００７７】
まず、起立姿勢のルーバー１の上端部と下端部にそれぞれ、取付具３０，３１を取り付ける。なお、平置き姿勢のルーバー１に、取付具３０，３１を取り付けてもよい。
【００７８】
詳しくは、ルーバー１の左右の長辺側スペーサー６０，６１それぞれの上端開口に、第一取付具３０の一対の第一嵌め込み部３３を１つずつ差し込んで嵌め込む。このとき、各第一嵌め込み部３３の前後左右の弾性部３５が、各長辺側スペーサー６０，６１の内周面のうちの前後左右の面にそれぞれ弾性的に押し当ることで、第一取付具３０はルーバー１に対して仮固定される。
【００７９】
ルーバー１の左右の長辺側スペーサー６０，６１それぞれの下端開口に、第二取付具３１の一対の第二嵌め込み部３７を１つずつ差し込んで嵌め込む。このとき、各第二嵌め込み部３７の前後左右の弾性部３９が、各長辺側スペーサー６０，６１の内周面のうちの前後左右の面にそれぞれ弾性的に押し当ることで、第二取付具３１はルーバー１に対して仮固定される。
【００８０】
次いで、取付具３０，３１が仮固定された状態のルーバー１を、上枠材２０と下枠材２１との間に、起立姿勢で配置する。このとき、上枠材２０の固定板２５と、下枠材２１の載置部２４の固定板２６との間に、ルーバー１を配置する。
【００８１】
次いで、第一取付具３０の第一固定部３２の板材３２０，３２１のそれぞれを、上枠材２０の固定板２５に溶接により固定し、第二取付具３１の第二固定部３６の板材３６０，３６１のそれぞれを、下枠材２１の固定板２６に溶接により固定する。なお、第一固定部３２の固定板２５への固定と、第二固定部３６の固定板２６への固定は、どちらが先であってもよい。
【００８２】
次いで、ボルト８１を回転させて短辺側スペーサー６３からの突出量を調整し、ボルト８１の先端を下枠材２１の固定板２６に当てて、ルーバー１の高さ位置を決める。
【００８３】
次いで、ルーバー１のスペーサーユニット６と上枠材２０との間の隙間と、スペーサーユニット６と下枠材２１との間の隙間に、コーキング剤を充填して、これらの隙間を閉塞する。
【００８４】
同様の手順で、ルーバー１を枠組み２００に対して複数枚取り付ける。このようにすることで、例えば、図４に示すように、建物２に、複数枚のルーバー１を設置することができる。
【００８５】
続いて、本形態のルーバー１の取付構造の変形例について説明する。
【００８６】
ルーバー１は、図６に示すように、芯材１６を有さず、パネル４の前面部４０の後面に取り付けられる第一補強部材１３と、パネル５の後面部５０の前面に取り付けられる第二補強部材１４とを有するものであってもよい。
【００８７】
補強部材１３，１４は、例えば、コ字状やＣ字状の溝形鋼である。補強部材１３，１４は、互いに前後方向に離れて位置する。第一補強部材１３は、パネル４の前面部４０の後面のうち左右方向の略中央部に、上下方向に亘って取り付けられる。第一補強部材１３の上端と下端は、スペーサー６２，６３に対して接するか、もしくは隙間を介して位置しており、スペーサー６２，６３に対して剛接合されていない。
【００８８】
第二補強部材１４は、パネル５の後面部５０の前面のうち左右方向の略中央部に、上下方向に亘って取り付けられる。第二補強部材１４の上端と下端は、スペーサー６２，６３に対して接するか、もしくは隙間を介して位置しており、スペーサー６２，６３に対して剛接合されていない。
【００８９】
補強部材１３，１４を有するルーバー１では、パネル４の前面部４０やパネル５の後面部５０が熱伸びして撓むことを抑制することができる。なお、ルーバー１は、芯材１６を有さず、かつ補強部材１３，１４も有さないものであってもよい。
【００９０】
また、第一取付具３０は、図７Ａ〜Ｃに示すように、各第一突出部３４の前後の面にのみ弾性部３５を有するものであってもよい。第二取付具３１も同様の構造としてもよい。
【００９１】
また、第一取付具３０は、図８Ａ〜Ｃに示すように、各第一突出部３４の前後の面に弾性部３５を有し、各第一突出部３４の左右の面に隙間埋め材１５を有するものであってもよい。隙間埋め材１５は、例えば金属製の鉄板であり、突出部３４の前後の面に溶接される。
【００９２】
この場合、第一取付具３０は、左右の長辺側スペーサー６０，６１の内周面のうちの左右の面に左右一対の弾性部３５が押し当たり、内周面のうちの前後の面に、前後一対の隙間埋め材１５が当たる。これにより、ルーバー１の位置決め精度がさらに向上する。第二取付具３１も同様の構造としてもよい。
【００９３】
また、第一取付具３０は、図９に示すように、各弾性部３５が突出部３４の前後左右の側壁に差し込んで取り付ける構造のものであってもよい。この場合、各弾性部３５は、突出部３４内に挿入される挿入片３５０と、挿入片３５０の下端部と連続し、挿入片３５０に沿って位置する板バネ部３５１とを有する。挿入片３５０は、略矩形板状であり、上下方向の中央部の一部に、板バネ部３５１側に向けて突出した押し当て部３５２を有する。押し当て部３５２は、板バネ部３５１側に向けて山型に突出するように折れ曲がった形状である。
【００９４】
板バネ部３５１は、上下方向の中央部が板バネ部３５１側に向けて山型に突出するように折れ曲がった形状である。各弾性部３５は、挿入片３５０と板バネ部３５１とで、突出部３４の前後左右の側壁を挟み込むように、突出部３４に差し込まれて取り付けられる。第二取付具３１も同様の構造としてもよい。
【００９５】
なお、図７Ａ〜Ｃに示す弾性部３５や、図８Ａ〜Ｃに示す弾性部３５や隙間埋め材１５も同様に、差し込んで取り付ける構造のものであってもよい。
【００９６】
また、各化粧カバー７は、図１０に示すように、ベース７０を有さず、カバー本体７１のみで構成され、カバー本体７１が一対の突片部７１２を有さないものであってもよい。この場合、カバー本体７１は、各取付片部７１１に、引っ掛け部７１３を有さなくてもよい。パネル４は、左右の側面部４１，４２の先端部（後端部）のそれぞれから略垂直に左右方向外側に向けて突出する左右一対の前取付片部４５をさらに有する。パネル５は、左右の側面部５１，５２の先端部（前端部）のそれぞれから略垂直に左右方向外側に向けて突出する左右一対の後取付片部５５をさらに有する。
【００９７】
カバー本体７１は、一対の取付片部７１１がパネル４の前取付片部４５と後取付片部５５との間に配され、固定具１２によって各取付片部７１１が取付片部４５，５５に対して固定されることで、長辺側スペーサー６０，６１の外側に取り付けられる。このとき、カバー本体７１は、固定具１２によって、例えば長手方向の両端部がそれぞれ、取付片部４５，５５に対して固定される。カバー本体７１の化粧部７１０とパネル４，５との間に形成される溝には、固定具１０，１１，１２の露出を防ぐために、バックアップ材を挿入したうえで、コーキング剤を充填する。
【００９８】
また、各化粧カバー７は、図１１に示すように、化粧部７１０が、略半円筒状であってもよい。略半円筒状の化粧部７１０の円弧状の部位は、外面全体に多数の凹凸が設けられたものであってもよい。
【００９９】
また、各化粧カバー７は、図１２に示すように、化粧部７１０が、略半円筒状であり、カバー本体７１が一対の突片部７１２を有さないものであってもよい。この場合、化粧部７１０とパネル４，５との間に形成される溝には、固定具１０，１１，１７の露出を防ぐために、バックアップ材を挿入したうえで、コーキング剤を充填する。略半円筒状の化粧部７１０の円弧状の部位は、外面全体に多数の凹凸が設けられたものであってもよい。
【０１００】
また、各化粧カバー７は、図１３に示すように、化粧部７１０が、略三角筒状であってもよい。
【０１０１】
また、各化粧カバー７は、図１４に示すように、化粧部７１０が、略三角筒状であり、カバー本体７１が一対の突片部７１２を有さないものであってもよい。この場合、化粧部７１０とパネル４，５との間に形成される溝には、固定具１０，１１，１７の露出を防ぐために、バックアップ材を挿入したうえで、コーキング剤を充填する。
【０１０２】
また、ルーバー１は、左右の端部に化粧カバー７を有さないものであってもよい。
【０１０３】
また、ルーバー１は、隣接する２つのスペーサー間に多少の隙間を有するものであってもよい。この隙間は、隣接する２つのスペーサーの間に別の部材を挟み込むことで形成したものであってもよい。
【０１０４】
また、ルーバー１のスペーサーユニット６は、短辺側スペーサー６２の左右端のどちらか一方が左右の長辺側スペーサー６０，６１のどちらか一方に対して溶接などにより一体化され、短辺側スペーサー６３の左右端のどちらか一方が左右の長辺側スペーサー６０，６１のどちらか一方に対して溶接などにより一体化されたものであってもよい。
【０１０５】
また、ルーバー１の左右の長辺側スペーサー６０，６１のそれぞれは、上下方向に並んだ剛接合されていない複数の部材で構成されるものであってもよい。
【０１０６】
また、位置決め部材８は、ナット８０にねじ締めされるボルト８１に限らず、その他の高さ調整可能な部材であってもよい。
【０１０７】
また、ルーバー１は、接着を用いず、リベット等の機械的接合や、スポット溶接などによりパネル４，５をスペーサーユニット６に固定したものであってもよい。
【０１０８】
続いて、図１５，１６に示す本発明の第二形態の外装ルーバ−１の取付構造について説明する。以下では、第一形態の取付構造と同様の構成については図中に同一の符号を付して詳しい説明を省略し、異なる構成について詳しく説明する。
【０１０９】
本形態では、ルーバー１は、長手方向が左右方向に対して略平行となり、短手方向が前後方向に対して略平行となり、厚み方向が上下方向に対して略平行となる倒伏姿勢で、建物２に取り付けられる。
【０１１０】
本形態では、建物２は、ガラス製のカーテンウォール２０１と、その左右に位置する柱２０２を備える。左右の柱２０２のそれぞれには、ルーバー１を取り付けるための板状の取付部９が屋外側（前方）に突出させた状態で固定されている。左右一対の取付部９は、ルーバー１の長手方向の長さよりも若干長い距離、左右方向に離れて位置している。
【０１１１】
本形態のルーバー１では、左側に位置する第一短辺側スペーサー６２には、第一短辺側スペーサー６２から左右方向外側（つまり左方）に突出し、かつ突出量が調整自在な第一位置決め部材８００が設けられている。また、右側に位置する第二短辺側スペーサー６３には、第二短辺側スペーサー６３から左右方向外側（つまり右方）に突出し、かつ突出量が調整自在な第二位置決め部材８０１が設けられている。
【０１１２】
取付具３０，３１は、固定部３２，３６がそれぞれ、１枚の略矩形状の板材で構成されている。固定部３２，３６のサイズは、側面視にて、化粧カバー７を取り付けた状態のルーバー１よりも若干大きいサイズとなっている。
【０１１３】
本形態のルーバー１は、下記のようにして建物２に取り付けられる。
【０１１４】
まず、倒伏姿勢のルーバ−１の右端部と左端部にそれぞれ、取付具３０，３１を取り付ける。
【０１１５】
詳しくは、ルーバー１の前後の長辺側スペーサー６０，６１それぞれの長手方向の一端の開口（つまり左端開口）に、第一取付具３０の一対の第一嵌め込み部３３を１つずつ差し込んで嵌め込む。このとき、各第一嵌め込み部３３の前後上下の弾性部３５が、各長辺側スペーサー６０，６１の内周面のうちの前後上下の面にそれぞれ弾性的に押し当ることで、第一取付具３０はルーバー１に対して仮固定される。
【０１１６】
ルーバー１の前後の長辺側スペーサー６０，６１それぞれの長手方向の他端の開口（つまり右端開口）に、第二取付具３１の一対の第二嵌め込み部３７を１つずつ差し込んで嵌め込む。このとき、各第二嵌め込み部３７の前後上下の弾性部３９が、各長辺側スペーサー６０，６１の内周面のうちの前後上下の面にそれぞれ弾性的に押し当ることで、第二取付具３１はルーバー１に対して仮固定される。
【０１１７】
次いで、取付具３０，３１が仮固定された状態のルーバー１を、左右一対の取付部９の間に、倒伏姿勢で配置する。
【０１１８】
次いで、第一取付具３０の第一固定部３２を、左側の取付部９にねじ固定し、第二取付具３１の第二固定部３６を、右側の取付部９にねじ固定する。このとき、ルーバー１は、上面が前側ほど下方に位置するように傾けて設置するか、あるいは、上面が後側ほど下方に位置するように傾けて設置する。なお、左右の取付部９への固定部３２，３６の固定は、どちらが先であってもよい。
【０１１９】
次いで、第一位置決め部材８００と第二位置決め部材８０１の突出長さをそれぞれ調整して、ルーバー１の左右方向の位置を定める。このとき、第一位置決め部材８００の先端部（左端部）は、第一固定部３２に当たり、第二位置決め部材８０１の先端部（右端部）は、第二固定部３６に当たることで、ルーバー１は左右方向の位置が定まる。
【０１２０】
次いで、ルーバー１のスペーサーユニット６と第一固定部３２の間の隙間と、スペーサーユニット６と第二固定部３６の間の隙間に、コーキング剤を充填して、これらの隙間を閉塞する。
【０１２１】
同様の手順で、ルーバー１を建物２に対して上下方向に並べて複数枚取り付ける。
【０１２２】
なお、本形態のルーバー１の取付構造においても、第一形態と同様に、図６〜１４に示す変形例を採用してもよい。
【０１２３】
以上説明した本発明の第一及び第二形態のルーバー１の取付構造は、以下の構成を備えることを特徴とする。
【０１２４】
すなわち、第一及び第二形態のルーバー１の取付構造は、ルーバー１と、ルーバー１の長手方向の一端部を建物２に取り付ける第一取付具３０と、ルーバー１の長手方向の他端部を建物２に取り付ける第二取付具３１とを備える。ルーバー１は、互いに対向する一対のパネル４，５と、一対のパネル４，５の間に位置し、一対のパネル４，５のそれぞれに固定される矩形枠状のスペーサーユニット６とを有する。スペーサーユニット６は、スペーサーユニット６の長辺側の一対の枠部を構成する直管状の一対の長辺側スペーサー６０，６１を含む。第一取付具３０は、第一固定部３２と、第一固定部３２から突出した一対の第一嵌め込み部３３とを有する。第二取付具３１は、第二固定部３６と、第二固定部３６から突出した一対の第二嵌め込み部３７とを有する。第一固定部３２が建物２に対して固定され、一対の第一嵌め込み部３３が左右一対の長辺側スペーサー６０，６１の長手方向の一端の開口にそれぞれ嵌め込まれることで、ルーバー１の長手方向の一端部が建物２に取り付けられる。第二固定部３６が建物２に対して固定され、一対の第二嵌め込み部３７が左右一対の長辺側スペーサー６０，６１の長手方向の他端の開口にそれぞれ嵌め込まれることで、ルーバー１の長手方向の他端部が建物２に取り付けられる。
【０１２５】
上記構成のように、第一及び第二形態のルーバー１の取付構造では、ルーバー１として、矩形枠状のスペーサーユニット６にパネル４，５を固定したものとしている。そのため、第一及び第二形態のルーバー１の取付構造では、ルーバー１の軽量化と製造の簡略化を図ることができる。
【０１２６】
加えて、第一及び第二形態のルーバー１の取付構造は、ルーバー１を構成する直管状の一対の長辺側スペーサー６０，６１の長手方向の両端の開口に、取付具３０，３１の嵌め込み部３３，３７を差し込み、固定部３２，３６を建物２に対して固定させるだけで、簡単に施工することができる。
【０１２７】
さらに、第一及び第二形態のルーバー１の取付構造は、上記の構成に加えて、下記の構成を付加的に備える。
【０１２８】
すなわち、第一及び第二形態のルーバー１の取付構造では、一対の第一嵌め込み部３３のそれぞれは、第一固定部３２から突出した第一突出部３４と、第一突出部３４の２つの面にそれぞれ設けられた弾性部３５を含む。前記２つの面は、第一突出部３４のうち一対のパネル４，５が並ぶ方向に直交する方向を向く２つの面である。
【０１２９】
上記の付加的な構成を備えることで、第一及び第二形態のルーバー１の取付構造では、ルーバー１がパネル４，５に風荷重を受けた場合に、位置ずれを起こすことや異音が生じることを、パネル４，５側にある各弾性部３５の弾性力によって抑制することができる。また、第一及び第二形態のルーバー１の取付構造では、各弾性部３５の弾性力によってルーバー１の長手方向の一端部や第一取付具３０の各構成の多少の寸法誤差や設置誤差を許容することができる。
【０１３０】
さらに、第一及び第二形態のルーバー１の取付構造は、上記の構成に加えて、下記の構成を付加的に備える。
【０１３１】
すなわち、第一及び第二形態のルーバー１の取付構造では、一対の第一嵌め込み部３３のそれぞれは、第一突出部３４の他の２つの面にそれぞれ設けられた弾性部３５を含む。前記他の２つの面は、第一突出部３４のうち一対のパネル４，５が並ぶ方向を向く２つの面である。
【０１３２】
上記の付加的な構成を備えることで、第一及び第二形態のルーバー１の取付構造では、各弾性部３５の弾性力によって、ルーバー１の長手方向の一端部や第一取付具３０の各構成の多少の寸法誤差や設置誤差を許容することができる。また、第一及び第二形態のルーバー１の取付構造では、地震が起こった場合などに起こるルーバー１の長手方向の一端部の層間変位を、各弾性部３５の弾性力によってルーバー１の回転や移動を許容することによって吸収することができる。
【０１３３】
さらに、第一及び第二形態のルーバー１の取付構造は、上記の構成に加えて、下記の構成を付加的に備える。
【０１３４】
すなわち、第一及び第二形態のルーバー１の取付構造では、一対の第二嵌め込み部３７のそれぞれは、第二固定部３６から突出した第二突出部３８と、第二突出部３８の２つの面にそれぞれ設けられた弾性部３９を含む。前記２つの面は、第二突出部３８のうち一対のパネル４，５が並ぶ方向に直交する方向を向く２つの面である。
【０１３５】
上記の付加的な構成を備えることで、第一及び第二形態のルーバー１の取付構造では、ルーバー１がパネル４，５に風荷重を受けた場合に、位置ずれを起こすことや異音が生じることを、パネル４，５側にある各弾性部３９の弾性力によって抑制することができる。また、第一及び第二形態のルーバー１の取付構造では、各弾性部３９の弾性力によってルーバー１の長手方向の他端部や第二取付具３１の各構成の多少の寸法誤差や設置誤差を許容することができる。
【０１３６】
さらに、第一及び第二形態のルーバー１の取付構造は、上記の構成に加えて、下記の構成を付加的に備える。
【０１３７】
すなわち、第一及び第二形態のルーバー１の取付構造では、一対の第二嵌め込み部３７のそれぞれは、第二突出部３８の他の２つの面にそれぞれ設けられた弾性部３９をさらに含む。前記他の２つの面は、第二突出部３８のうち一対のパネル４，５が並ぶ方向を向く２つの面である。
【０１３８】
上記の付加的な構成を備えることで、第一及び第二形態のルーバー１の取付構造では、各弾性部３９の弾性力によって、ルーバー１の長手方向の他端部や第二取付具３１の各構成の多少の寸法誤差や設置誤差を許容することができる。また、第一及び第二形態のルーバー１の取付構造では、地震が起こった場合などに起こるルーバー１の長手方向の他端部の層間変位を、各弾性部３９の弾性力によってルーバー１の回転や移動を許容することによって吸収することができる。
【０１３９】
さらに、第一形態のルーバー１の取付構造は、上記の構成に加えて、下記の構成を付加的に備える。
【０１４０】
すなわち、第一形態のルーバー１の取付構造では、ルーバー１の一対の長辺側スペーサー６０，６１の長手方向が、上下方向に対して平行であり、スペーサーユニット６は、スペーサーユニット６の短辺側の一対の枠部のうち下側の枠部を構成する短辺側スペーサー６３をさらに含む。短辺側スペーサー６３には、短辺側スペーサー６３から下方に突出し、かつ下方への突出量が調整自在な位置決め部材８が設けられる。
【０１４１】
上記の付加的な構成を備えることで、第一形態のルーバー１の取付構造では、位置決め部材８の突出量を調整することで、ルーバー１の設置高さの調整が可能となる。また第一形態のルーバー１の取付構造では、位置決め部材８によりルーバー１は、その下方に位置する建物２の構造の一部（下枠材２１）との間に隙間を介して位置することになるため、地震が起こった場合などの層間変位時に、ルーバー１がその下方に位置する建物２の構造の一部に強く接触することを抑制することができる。
【０１４２】
さらに、第二形態のルーバー１の取付構造は、上記の構成に加えて、下記の構成を付加的に備える。
【０１４３】
すなわち、第二形態のルーバー１の取付構造では、ルーバー１の一対の長辺側スペーサー６０，６１の長手方向が、左右方向に対して平行であり、スペーサーユニット６は、スペーサーユニット６の短辺側の一対の枠部を構成する第一短辺側スペーサー６２と第二短辺側スペーサー６３をさらに含む。第一短辺側スペーサー６２には、第一短辺側スペーサー６２から左右方向外側に突出し、かつ突出量が調整自在な第一位置決め部材８００が設けられる。第二短辺側スペーサー６３には、第二短辺側スペーサー６３から左右方向外側に突出し、かつ突出量が調整自在な第二位置決め部材８０１が設けられる。
【０１４４】
上記の付加的な構成を備えることで、第二形態のルーバー１の取付構造では、位置決め部材８００，８０１の突出量を調整することで、ルーバー１の左右方向の設置位置の調整が可能となる。また第二形態のルーバー１の取付構造では、位置決め部材８００，８０１によりルーバー１は、その左右に位置する部材との間に隙間を介して位置することになるため、地震が起こった場合などの層間変位時に、ルーバー１がその左右に位置する部材に強く接触することを抑制することができる。
【０１４５】
さらに、第一及び第二形態のルーバー１の取付構造は、上記の構成に加えて、下記の構成を付加的に備える。
【０１４６】
すなわち、第一及び第二形態のルーバー１の取付構造では、一対の長辺側スペーサー６０，６１の外側に取り付けられる化粧カバー７をさらに備える。
【０１４７】
上記の付加的な構成を備えることで、第一及び第二形態のルーバー１の取付構造では、ルーバー１の端部の外観を化粧カバー７によって向上させることができる。
【０１４８】
また、第一及び第二形態の取付構造では、ルーバー１は、パネル４，５の間に配されるスペーサーユニット６として、互いに剛接合されていない複数のスペーサー６０，６１，６２，６３を枠状に配置して構成されるものとしている。そのため、第一及び第二形態の取付構造では、ルーバー１の製造の際に、複数のスペーサー６０，６１，６２，６３同士を溶接により接合する必要がなく、溶接跡の除去処理や熱歪みの矯正処理が省略でき、ルーバー１を簡単に製造することができる。
【０１４９】
また、第一及び第二形態の取付構造では、ルーバー１のパネル４，５は接着だけでなく、固定具（１０，１１等）を介してスペーサーユニット６に固定されているため、経年劣化や火災などによって接着剤の接着力が弱まった場合でも、固定具（１０，１１等）によりパネル４，５がスペーサーユニット６から外れることを抑制することができる。
【０１５０】
また、第一及び第二形態の取付構造では、パネル４，５をスペーサーユニット６に固定する固定具１０，１１を化粧カバー７で覆うようにしたことで、外観および空力特性を改善するとともに、固定具１０，１１が雨に晒されることを抑制できる。
【０１５１】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１５２】
１      外装ルーバー
２      建物
３０    第一取付具
３１    第二取付具
３２    第一固定部
３３    第一嵌め込み部
３４    第一突出部
３５    弾性部
３６    第二固定部
３７    第二嵌め込み部
３８    第二突出部
３９    弾性部
４      パネル
５      パネル
６      スペーサーユニット
６０    長辺側スペーサー（第一長辺側スペーサー）
６１    長辺側スペーサー（第二長辺側スペーサー）
６２    短辺側スペーサー（第一短辺側スペーサー）
６３    短辺側スペーサー（第二短辺側スペーサー）
７      化粧カバー
８      位置決め部材
８００  第一位置決め部材
８０１  第二位置決め部材
【図１】
0006725126.tif 000002
【図２】
0006725126.tif 000003
【図３】
0006725126.tif 000004
【図４】
0006725126.tif 000005
【図５】
0006725126.tif 000006
【図６】
0006725126.tif 000007
【図７】
0006725126.tif 000008
【図８】
0006725126.tif 000009
【図９】
0006725126.tif 000010
【図１０】
0006725126.tif 000011
【図１１】
0006725126.tif 000012
【図１２】
0006725126.tif 000013
【図１３】
0006725126.tif 000014
【図１４】
0006725126.tif 000015
【図１５】
0006725126.tif 000016
【図１６】
0006725126.tif 000017